(57)【要約】【課題】被測定器に接触させて、その接触状態を維持することが容易にできる高所測定器接触用具を提供する。【解決手段】高所被測定器接触用具１０Ａの棹部３０の一端には測定装置用端子１７が固定され、他端には伸縮部３１及びコネクタ１５を介して測定子１１Ａが固定され、コネクタ１５はリード線１６によって測定装置用端子１７に接続される。この測定子１１Ａは、導電性金属からなる測定用端子と永久磁石を一体に設けることで構成されている。【選択図】図２
2008002915.tif 000002
【特許請求の範囲】
【請求項１】
高所に設置された金属部材からなる被測定器の測定部位に接触させる測定用端子を具備し、測定用端子に磁石を一体に設けて測定子とし、長尺部材の先端に測定子を取り付けたことを特徴とする高所被測定器接触用具。
【請求項２】
請求項１に記載の高所被測定器接触用具において、前記測定子が前記磁石と、被測定器に導通する導電性金属とからなることを特徴とする高所被測定器接触用具。
【請求項３】
請求項１又は２に記載の高所被測定器接触用具において、前記磁石が永久磁石であることを特徴とする高所被測定器接触用具。
【請求項４】
請求項３に記載の高所被測定器接触用具において、前記測定子に当該測定子を前記測定器から離す分離手段を備えていることを特徴とする高所被測定器接触用具。
【請求項５】
請求項４に記載の高所被測定器接触用具において、前記分離手段が遠隔において前記測定子を被測定器から移動させる手段であることを特徴とする高所被測定器接触用具。
【請求項６】
請求項５に記載の高所被測定器接触用具において、前記分離手段が前記測定子から垂下する紐状部材であり、当該紐状部材は前記測定子を回動させて前記被測定器から離すものであることを特徴とする高所被測定器接触用具。
【請求項７】
請求項１又は２に記載の高所被測定器接触用具において、前記磁石が電磁石であることを特徴とする高所被測定器接触用具。
【請求項８】
請求項２〜７の何れかに記載の高所被測定器接触用具において、前記測定子は測定部位との接触面が前記導電性金属のみからなり、当該接触面まで磁石の磁力が及ぶように構成されていることを特徴とする高所被測定器接触用具。
【請求項９】
請求項２〜７の何れかに記載の高所被測定器接触用具において、前記測定子は測定部位との接触面の一部が磁石から構成されていることを特徴とする高所被測定器接触用具。
【請求項１０】
請求項１〜９の何れかに記載の高所被測定器接触用具において、前記測定子が複数の面を有する多角状であることを特徴とする高所被測定器接触用具。
【請求項１１】
請求項１〜９の何れかに記載の高所被測定器接触用具において、前記測定子が球状であることを特徴とする高所被測定器接触用具。
【発明の詳細な説明】
【技術分野】
【０００１】
建築物の屋根や電柱などの高所に設置された被測定器に接触させる高所被測定器接触用具に関する。
【背景技術】
【０００２】
建築物の屋根や電柱などの高所に設置される被測定器としては、電気抵抗測定器、変圧器などが挙げられる。このような電気抵抗測定器は電気抵抗値が所定値以下であることを確認するために、例えば、高圧電線の配線が近接する金属製の屋根に設けられている。また、電柱に取り付けて使用される柱上変圧器は、高圧電線に印加されている電圧を家庭等で使用する電圧に変更するために設けられている。
【０００３】
このような高所に設置された被測定器の検査を行う際は、測定者が建築物の屋根に登って屋根に設けられた電気抵抗測定器から延びる配線を測定装置に接続したり、又は電柱に登って電線の先端を柱上変圧器に接続したりする必要があった。この方法においては、測定者の手間がかかるという問題や、高所に登るために測定者の安全性が確保されないという問題があった。
【０００４】
そこで、安全に短時間で測定可能な高所電気抵抗測定装置が提案されている（特許文献１参照）。この特許文献の高所電気抵抗測定装置は、伸縮部の長さを調節し、測定対象にフック状の先端部を引っ掛けることで、地上にいる状態で電気抵抗を測定できるというものである。しかしながら、測定する際に電気抵抗測定装置の伸縮部が長くなるとしなってしまい、先端を電気抵抗測定器に接触させて、その接触状態を維持することが困難であるという問題があった。
【０００５】
【特許文献１】特開平１０−３１９０６２号公報
【発明の開示】
【発明が解決しようとする課題】
【０００６】
本発明はこのような事情に鑑み、被測定器に接触させて、その接触状態を維持することが容易にできる高所測定器接触用具を提供することを課題とする。
【課題を解決するための手段】
【０００７】
上記課題を解決する本発明の第１の態様は、高所に設置された金属部材からなる被測定器の測定部位に接触させる測定用端子を具備し、測定用端子に磁石を一体に設けて測定子とし、長尺部材の先端に測定子を取り付けたことを特徴とする高所被測定器接触用具にある。
【０００８】
かかる第１の態様では、長尺部材の先端に磁石を一体に設けた測定子を取り付けることで、高所に設置された金属部材からなる被測定器に容易に接触させて、その接触状態を維持することができるものとなる。
【０００９】
本発明の第２の態様は、第１の態様に記載の高所被測定器接触用具において、前記測定子が前記磁石と、被測定器に導通する導電性金属とからなることを特徴とする高所被測定器接触用具にある。
【００１０】
かかる第２の態様では、測定子が被測定器に導通する導電性金属を具備することで、この高所被測定器接触用具により被測定器と測定装置等を繋ぐと、被測定器を電気的に測定装置等に導通させることができる。
【００１１】
本発明の第３の態様は、第１又は２の態様に記載の高所被測定器接触用具において、前記磁石が永久磁石であることを特徴とする高所被測定器接触用具にある。
【００１２】
かかる第３の態様では、磁石が永久磁石であることで、持ち運び及び取り扱いが容易で安価なものとなる。
【００１３】
本発明の第４の態様は、第３の態様に記載の高所被測定器接触用具において、前記測定子に当該測定子を前記測定器から離す分離手段を備えていることを特徴とする高所被測定器接触用具にある。
【００１４】
かかる第４の態様では、高所に設置された金属部材からなる被測定器に容易に接触させて維持することができ、且つ被測定器から容易に離すことができるものとなる。
【００１５】
本発明の第５の態様は、第４の態様に記載の高所被測定器接触用具において、前記分離手段が遠隔において前記測定子を被測定器から移動させる手段であることを特徴とする高所被測定器接触用具にある。
【００１６】
かかる第５の態様では、遠隔から測定子を移動させる手段を具備することで、より容易に被測定器から離すことができるものとなる。
【００１７】
本発明の第６の態様は、第５の態様に記載の高所被測定器接触用具において、前記分離手段が前記測定子から垂下する紐状部材であり、当該紐状部材は前記測定子を回動させて前記測定器から離すものであることを特徴とする高所被測定器接触用具にある。
【００１８】
かかる第６の態様では、分離手段を前記測定子から垂下する紐状部材とすることで、紐状部材を引くことにより、測定子が回動して被測定器から容易に離すことができるものとなる。
【００１９】
本発明の第７の態様は、第１又は２の態様に記載の高所被測定器接触用具において、前記磁石が電磁石であることを特徴とする高所被測定器接触用具にある。
【００２０】
かかる第７の態様では、磁石が電磁石であることで、高所に設置された金属部材からなる被測定器に容易に接触させて維持することができ、且つ被測定器から容易に離すことができるものとなる。
【００２１】
本発明の第８の態様は、第２〜７の何れかの態様に記載の高所被測定器接触用具において、前記測定子は測定部位との接触面が前記導電性金属のみからなり、当該接触面まで磁石の磁力が及ぶように構成されていることを特徴とする高所被測定器接触用具にある。
【００２２】
かかる第８の態様では、測定子は接触面が前記導電性金属のみからなり、当該接触面まで磁石の磁力が及ぶように構成されることで、高所に設置された金属部材からなる被測定器に容易に接触させて維持することができ、且つ測定子のいずれの部分が接触しても被測定器の電気を確実に導通することができるものとなる。
【００２３】
本発明の第９の態様は、第２〜７の何れかの態様に記載の高所被測定器接触用具において、前記測定子は測定部位との接触面の一部が磁石から構成されていることを特徴とする高所被測定器接触用具にある。
【００２４】
かかる第９の態様では、測定子は接触面の一部が磁石から構成されていることで、高所に設置された金属部材からなる被測定器により容易に確実に接触させて維持することができるものとなる。
【００２５】
本発明の第１０の態様は、第１〜９の何れかの態様に記載の高所被測定器接触用具において、前記測定子が複数の面を有する多角状であることを特徴とする高所被測定器接触用具にある。
【００２６】
かかる第１０の態様では、測定子が複数の面を有する多角状であることで、測定子と被測定器との接触部分が平面となるために被測定器との密着性が高くなり、さらに、被測定器から離すのが容易なものとなる。
【００２７】
本発明の第１１の態様は、第１〜９の何れかの態様に記載の高所被測定器接触用具において、前記測定子が球状であることを特徴とする高所被測定器接触用具にある。
【００２８】
かかる第１１の態様では、測定子が球状であることにより、測定子のいずれの部分でも被測定器に接触することができ、さらに、被測定器から離すのが容易なものとなる。
【発明の効果】
【００２９】
本発明によれば、測定器に接触させて、その接触状態を維持することが容易にできる高所測定器接触用具となる。
【発明を実施するための最良の形態】
【００３０】
図１に、本発明にかかる高所被測定器接触用具の使用方法の一例を示す。
【００３１】
図１に示すように、本発明にかかる高所被測定器接触用具１０は、例えば、電柱５０に設けられた柱上変圧器５１に接触させるのに好適なものである。このように、高所被測定器接触用具１０の一端を柱上変圧器５１に接触させ、他端から延びるリード線を電気抵抗測定器６０に接続させることにより、柱上変圧器５１に流れる電気が高所被測定器接触用具１０を介して電気抵抗測定器６０に流れ、柱上変圧器５１の電気抵抗値を測定することができる。なお、このときの被測定器は柱上変圧器５１となる。
【００３２】
以下、図面に基づいて本発明を実施するための最良の形態について説明する。以下に示す実施形態では、図１に示す柱上変圧器５１の電気抵抗値を測定するための高所被測定器接触用具を用いて本発明を説明する。
【００３３】
なお、以下に示す実施形態の説明は例示であり、本発明の構成はこれに限定されるものではない。
【００３４】
（実施形態１）
図２及び図３に基づいて実施形態１を説明する。以下、柱上変圧器５１及び電気抵抗測定器６０は図１に示したものとし、同一番号とした。
【００３５】
図２には実施形態１の高所被測定器接触用具を示す。図２（ａ）には高所被測定器接触用具の外面図、図２（ｂ）には高所被測定器接触用具の断面図を示す。
【００３６】
図２（ａ）に示すように、高所被測定器接触用具１０Ａの棹部３０の一端には測定装置用端子１７が固定され、他端には伸縮部３１及びコネクタ１５を介して測定子１１Ａが固定されている。
【００３７】
そして、図２（ｂ）に示すように、コネクタ１５はリード線１６によって測定装置用端子１７に接続されている。
【００３８】
ここで、測定子１１Ａの形態を詳述する。図３は、実施形態１の測定子１１Ａを示している。図３（ａ）には測定子１１Ａの斜視図、図３（ｂ）には測定子１１Ａの断面図を示してある。
【００３９】
実施形態１の測定子１１Ａは、両図に示すように、導電性金属からなる多角状の測定用端子１２Ａと永久磁石１３Ａを一体に設けることで構成されている。この測定子１１Ａは、周面が導電性金属からなる測定用端子１２Ａのみからなり、いずれの表面にも永久磁石１３Ａの磁力が及ぶように永久磁石１３Ａを内部に備えている。
【００４０】
実施形態１の高所被測定器接触用具１０Ａは、このように測定子１１Ａが測定用端子１２Ａに永久磁石１３Ａを一体に設けて構成されていることで、永久磁石１３Ａの磁力により測定子１１Ａの一部又は全体が金属部材からなる柱上変圧器５１にくっつく。このため、高所に設置された柱上変圧器５１の測定部位に容易に接触（密着）させることができる。なお、上述したように、測定子１１Ａはいずれの表面にも永久磁石１３Ａの磁力が及んでいるので、いずれの面でも必ず柱上変圧器５１に接触することができる。このように、測定子１１Ａは、永久磁石１３Ａの磁力により柱上変圧器５１に容易に接触するために、柱上変圧器５１の電気抵抗値を測定する際に、高所被測定器接触用具１０Ａの棹部３０及び伸縮部３１がしなってしまっても、高所被測定器接触用具１０Ａは先端の測定子１１Ａを柱上変圧器５１に容易に接触させることができ、さらに測定が完了するまでその接触状態を維持することができるようになる。
【００４１】
また、測定子１１Ａが多角状であることで、測定子１１Ａの柱上変圧器５１との接触部分が平面となり、柱上変圧器５１との密着性が高くなる。また、測定子１１Ａを多角状とすることで、高所被測定器接触用具１０Ａを回転させて回転する方向に力が加わると接触面が浮き上がり、柱上変圧器５１から容易に分離することができる。
【００４２】
このような測定子１１Ａは、コネクタ１５に固定されていることで、いずれの面が柱上変圧器５１に接触しても、柱上変圧器５１の電気が測定子１１Ａを介してコネクタ１５へと流れる。コネクタ１５へと流れた電気は、リード線１６、測定装置用端子１７を通過して、電気抵抗測定器６０へと流れる。
【００４３】
ここで、棹部３０は、持ち運びの容易な長さであり、さらにつかみ易い太さであることが好ましい。また、棹部３０は絶縁性部材からなることが好ましく、さらに軽量の部材からなることが好ましい。例えば、カーボンファイバーやプラスチックが挙げられる。
【００４４】
伸縮部３１は、複数の筒状体から構成され、棹部３０よりもやや細い筒状体、さらに細い筒状体という順に設けられている。図示しないが、筒状体はいずれもある程度の長さがあり、それぞれ自身より大きい筒状体の内部に収納されている。そして、使用する際には、適宜、柱上変圧器５１の設置されている高さに合わせて、筒状体を伸ばす。
【００４５】
また、リード線１６の長さは、筒状体をすべて伸ばした状態の伸縮部３１の長さと棹部３０の長さを足した長さと同じである。使用前後の伸縮部３１の筒状体がそれぞれ自身より大きい筒状体の内部に収納されている状態のときには、余分な部分は、図示しない高所被測定器接触用具１０Ａの内部に収納しておく。
【００４６】
なお、高所被測定器接触用具１０Ａに取手部を設けてもよい。取手部を設ける場合は、棹部３０の長手方向測定装置用端子１７側に設けるのが好ましく、すべりにくい絶縁性部材からなることが好ましい。
【００４７】
上述した構成により、被測定器が高所に設けられているために伸縮部３１を伸長させたり、測定する際に風が吹いたりすることにより、高所被測定器接触用具１０Ａがしなっても、高所被測定器接触用具１０Ａは先端の測定子１１Ａを柱上変圧器５１に接触させて、その接触状態を維持することが容易にできる。また、柱上変圧器５１から容易に分離することができる。
【００４８】
（実施形態２）
図４〜図６に基づいて実施形態２を説明する。
【００４９】
図４には実施形態２の高所被測定器接触用具を示す。図４（ａ）には高所被測定器接触用具の外面図、図４（ｂ）には高所被測定器接触用具の断面図を示す。なお、実施形態１と同一部分には同一番号を付し、重複する説明は省略する。
【００５０】
図４（ａ）に示すように、高所被測定器接触用具１０Ｂの棹部３０の一端には測定装置用端子１７が固定され、他端には伸縮部３１及びコネクタ１５を介して測定子２１が固定されている。
【００５１】
そして、図４（ｂ）に示すように、コネクタ１５はリード線１６によって測定装置用端子１７と接続されている。
【００５２】
また、測定子２１は、さらに、コネクタ１５を介してリード線２５により電池２６に接続されている。
【００５３】
ここで、測定子２１の形態を詳述する。図５は、実施形態２の測定子２１を示している。図５（ａ）には測定子２１の斜視図、図５（ｂ）には測定子２１の断面図を示している。
【００５４】
実施形態２の測定子２１は、両図に示すように、導電性金属からなる多角状の測定用端子２２と電磁石２３を一体に設けることで構成されている。この測定子２１は、表面が導電性金属からなる測定用端子２２のみからなり、いずれの表面にも電磁石２３の磁力が及ぶように電磁石２３を内部に備えている。
【００５５】
測定子２１は、実施形態１と同様に、コネクタ１５に固定されていることで、いずれの面が柱上変圧器５１に接触しても、柱上変圧器５１の電気が測定子２１を介してコネクタ１５へと流れる。コネクタ１５へと流れた電気は、リード線１６、測定装置用端子１７を通過して、電気抵抗測定器６０へと流れる。
【００５６】
また、図６の高所被測定器接触用具１０Ｂと電気抵抗測定器６０の結線図を用いて、電磁石２３の導電状態を説明する。
【００５７】
同図に示すように、測定子２１は、高所被測定器接触用具１０Ｂの内部に設けられたリード線１６により電気抵抗測定器６０に接続されている。また、測定子２１内部に設けられた電磁石２３のコイルは、高所被測定器接触用具１０Ｂの内部に設けられたリード線２５により電池２６に接続されている。この電池２６とリード線２５との途中にはスイッチ２７が設けられており、このスイッチ２７は高所被測定器接触用具１０Ｂの外表面から操作できるように設定されている。
【００５８】
スイッチ２７を入れるまでは電池２６と電磁石２３との回路は遮断された状態となっているが、スイッチ２７を入れることで、電池２６と電磁石２３との回路が投入された状態となり、電磁石２３のコイルが励磁されて電磁石２３が磁力を帯びる。
【００５９】
実施形態２の高所被測定器接触用具１０Ｂでは、柱上変圧器５１に接触させる際にはスイッチ２７を入れて電磁石２３に磁力を帯びさせることで、柱上変圧器５１に接触させ、その接触状態を維持することが容易にできる。そして、取り外す際には、スイッチ２７を切って電磁石２３の磁力を消失させることで、柱上変圧器５１から容易に取り外すことができる。
【００６０】
実施形態２の高所被測定器接触用具１０Ｂは、このように測定子２１が測定用端子２２に電磁石２３を一体に設けて構成されていることで、電磁石２３の磁力により測定子２１の一部又は全体が金属部材からなる柱上変圧器５１にくっつく。このため、高所に設置された柱上変圧器５１の測定部位に容易に接触（密着）させることができる。なお、上述したように、測定子２１はいずれの表面にも電磁石２３の磁力が及んでいるので、いずれの面でも必ず柱上変圧器５１に接触することができる。また、測定子２１が多角状であることで、測定子２１の柱上変圧器５１との接触部分が平面となり、柱上変圧器５１と密着しやすい。
【００６１】
このように、測定子２１は、電磁石２３の磁力により柱上変圧器５１に容易に接触するために、被測定器の例えば電気抵抗値を測定する際に、高所被測定器接触用具１０Ｂの棹部３０及び伸縮部３１がしなってしまっても、高所被測定器接触用具１０Ｂは先端の測定子２１を柱上変圧器５１に容易に接触させることができ、さらに測定が完了するまでその接触状態を維持することができる。また、スイッチ２７を切ることで、電磁石２３の磁力が消失し、測定子２１を柱上変圧器５１から容易に取り外すことができる。
【００６２】
上述した構成により、柱上変圧器５１が高所に設けられているために伸縮部３１を伸長したり、測定する際に風が吹いたりすることにより、高所被測定器接触用具１０Ｂがしなっても、高所被測定器接触用具１０Ｂは先端の測定子２１を柱上変圧器５１に接触させてその接触状態を維持することが容易にできる。また、柱上変圧器５１からの取り外しが容易にできる。
【００６３】
（実施形態３）
図７及び図８に基づいて実施形態３を説明する。
【００６４】
図７には実施形態３の高所被測定器接触用具を示す。
【００６５】
図７に示すように、高所被測定器接触用具１０Ｃの棹部３０の一端には測定装置用端子１７が固定され、他端には伸縮部３１及びコネクタ１５を介して測定子１１Ｃが固定されている。
【００６６】
そして、コネクタ１５は図示しないリード線により測定装置用端子１７に接続されている。
【００６７】
コネクタ１５には回動中心ピン１９が固定され、回動中心ピン１９には測定子１１Ｃの中央部が回動自在に支持されている。この測定子１１Ｃの端部には紐状部材１８が固定され、垂下している。この紐状部材１８を下に引くと、測定子１１Ｃは回動する。
【００６８】
ここで、測定子１１Ｃの形態を詳述する。図８には実施形態３の測定子１１Ｃを示す。図８（ａ）には実施形態３の測定子１１Ｃの側面図、図８（ｂ）には測定子１１Ｃの斜視図を示す。
【００６９】
実施形態３の測定子１１Ｃは、同図に示すように、導電性金属からなる直方体の測定用端子１２Ｃと永久磁石１３Ｃを一体に設けることで構成されている。この測定子１１Ｃは、表面の一部が永久磁石１３Ｃからなる。
【００７０】
永久磁石１３Ｃは、測定子１１Ｃの長手方向に亘って高さ方向中央部に設けられている。具体的には、紐状部材１８の固定されている側とは逆側から回動中心ピン１９よりも手前まで測定子１１Ｃの高さ方向中央部に設けられている。この構成により、回動自在な測定子１１Ｃと柱上変圧器５１との接触面は、ある程度限定されることになるが、いずれの面が接触しても、必ずコネクタ１５に電気が流れるように構成されている。
【００７１】
この構成により、永久磁石１３Ｃの磁力により柱上変圧器５１にくっついた状態の測定子１１Ｃは、電気抵抗値の測定終了後、作業者が下方（地上）から紐状部材１８をひくことにより、測定子１１Ｃが図中の矢印の方向に回動し、容易に測定子１１Ｃが柱上変圧器５１から離れる。
【００７２】
なお、測定子１１Ｃが直方体であることで、測定子１１Ｃの柱上変圧器５１との接触部分が平面となり、柱上変圧器５１との密着性が高くなる。
【００７３】
実施形態３の高所被測定器接触用具１０Ｃは、このように測定子１１Ｃが測定用端子１２Ｃに永久磁石１３Ｃを一体に設けて構成されていることで、永久磁石１３Ｃの磁力により測定子１１Ｃの一部又は全体が金属部材からなる柱上変圧器５１にくっつく。このため、高所に設置された柱上変圧器５１の測定部位に容易に接触（密着）させることができるものである。このように、測定子１１Ｃは、永久磁石１３Ｃの磁力により柱上変圧器５１に容易に接触するために、柱上変圧器５１の電気抵抗値を測定する際に、高所被測定器接触用具１０Ｃの棹部３０及び伸縮部３１がしなってしまっても、高所被測定器接触用具１０Ｃは先端の測定子１１Ｃを柱上変圧器５１に容易に接触させることができ、さらに測定が完了するまでその接触状態を維持することができるようになる。そして、紐状部材１８をひくことで、測定子１１Ｃが回動し、柱上変圧器５１から容易に取り外すことができる。
【００７４】
（他の実施形態）
実施形態１〜３では、測定子は、被測定器（柱上変圧器５１）との接触面が平面となるように構成したが、測定子はこれに限定されるものではない。例えば、図９に示すように、測定子１１Ｄが球体で被測定器との接触面が円弧面であり、測定用端子１２Ｄの内部に永久磁石１３Ｄを具備していてもよい。
【００７５】
また、図１０に示すように、測定子１１Ｅの上方を永久磁石１３Ｅとし、下方を測定用端子１２Ｅとしてもよい。このように永久磁石１３Ｅを上方に設けることで被測定器に確実に接触させることができると共に、下方の測定用端子１２Ｅから被測定器の電気を確実にコネクタ１５へと流すことができる。
【００７６】
本発明の高所被測定器接触用具は、高所に設けられた被測定器に接触させるのに好適なものである。なお、被測定器は柱上変圧器５１に限定されるものではなく、例えば、屋根の上に設けられた電気抵抗測定器でもよい。また、本発明の高所被測定器接触用具の使用は電気抵抗の測定に限定されるものではなく、高所に設けられた被測定器の他の測定に用いることもできる。
【図面の簡単な説明】
【００７７】
【図１】本発明にかかる高所被測定器接触用具の使用方法の一例を示す図である。
【図２】実施形態１の高所被測定器接触用具を示す図である。
【図３】実施形態１の測定子１１Ａを示す図である。
【図４】実施形態２の高所被測定器接触用具を示す図である。
【図５】実施形態２の測定子２１を示す図である。
【図６】高所被測定器接触用具１０Ｂと電気抵抗測定器６０の結線図である。
【図７】実施形態３の高所被測定器接触用具を示す図である。
【図８】実施形態３の測定子１１Ｃを示す図である。
【図９】他の実施形態の測定子１１Ｄを示す図である。
【図１０】他の実施形態の測定子１１Ｅを示す図である。
【符号の説明】
【００７８】
１０，１０Ａ，１０Ｂ，１０Ｃ    高所被測定器接触用具
１１Ａ，１１Ｃ、１１Ｄ，１１Ｅ，２１    測定子
１２Ａ，１２Ｃ、１２Ｄ，１２Ｅ，２２    測定用端子
１３Ａ，１３Ｃ、１３Ｄ，１３Ｅ    永久磁石
１５    コネクタ
１６，２５    リード線
１７    測定装置用端子
１８    紐状部材
１９    回動中心ピン
２７    スイッチ
３０    棹部
３１    伸縮部
５０    電柱
５１    柱上変圧器
６０    電気抵抗測定器
【図１】
2008002915.tif 000003
【図２】
2008002915.tif 000004
【図３】
2008002915.tif 000005
【図４】
2008002915.tif 000006
【図５】
2008002915.tif 000007
【図６】
2008002915.tif 000008
【図７】
2008002915.tif 000009
【図８】
2008002915.tif 000010
【図９】
2008002915.tif 000011
【図１０】
2008002915.tif 000012